(57)【要約】【課題】  ディジタル信号記録再生装置の小型化に伴い、記録再生アンプの基板上の配置位置が大幅に制約され、設計上、回転ドラム機構との接続が、本来の接続関係と逆にならざるを得ない場合がある。【解決手段】  記録再生アンプ１１と回転ドラム機構との接続が本来の接続と逆の場合、装置製造段階でＣＨ切換回路１２に対してＣＨ識別信号切換制御を行い、ＣＨ切換信号を反転して入力した場合と同等の動作を行わせる（すなわち、ＣＨ識別信号の反対論理値で動作させる）。この結果、実際に記録されるディジタル信号及びＡＴＦパイロット信号と、回転ヘッドのチャンネルとの関係は、記録再生アンプ１１と回転ドラム機構との接続が本来の接続の場合と同じ関係となる。よって、複数個の回転ヘッド２１、２２に接続される記録再生アンプ１１の配置位置の制約を無くすことができる。【選択図】          図１
2006252665.tif 000002
【特許請求の範囲】
【請求項１】
トラッキング制御のための複数種類のパイロット信号を予め定めた複数のトラック周期で切り換えてディジタル情報信号と共に、複数個の回転ヘッドを巡回的に切り換えて磁気テープ上のトラックに記録し、記録ディジタル情報信号及びパイロット信号を前記複数個の回転ヘッドを巡回的に切り換えて前記磁気テープのトラックから再生するディジタル信号記録再生装置において、
記録時は、前記複数種類のパイロット信号のうち、前記予め定めた複数のトラック周期で切り換えられた一の種類のパイロット信号と前記ディジタル情報信号との多重信号を、前記複数個の回転ヘッドに対応して設けられた複数の端子へ、チャンネル識別信号に応じて順次切り換えて出力し、再生時は、前記複数の端子を前記チャンネル識別信号に応じて順次選択し、選択した一の端子からの再生信号を入力として処理する切換回路と、
前記複数の端子に別々に接続された前記複数個の回転ヘッドが回転ドラムに取り付けられており、前記複数個の回転ヘッドのうち前記磁気テープ上を走査する一の回転ヘッドに対応したチャンネルを識別させるための前記チャンネル識別信号を生成して前記切換回路へ出力する回転ドラム機構と、
前記切換回路の前記複数の端子と前記回転ドラム機構の前記複数個の回転ヘッドとの接続状態に応じて、前記切換回路における前記チャンネル識別信号の極性を制御し、前記磁気テープに記録される前記複数種類のパイロット信号と前記複数個の回転ヘッドとの相関を前記接続状態に応じて切り換えるチャンネル識別信号切換制御手段と
を有することを特徴とするディジタル信号記録再生装置。
【発明の詳細な説明】
【技術分野】
【０００１】
本発明はディジタル信号記録再生装置に係り、特に画像、音声、データ等に関するディジタル情報信号をパイロット信号と共に回転ヘッドにより磁気テープに記録し、また、磁気テープに記録されたディジタル情報信号をパイロット信号と共に回転ヘッドにより再生するディジタル信号記録再生装置に関する。
【背景技術】
【０００２】
画像、音声、データ等に関するディジタル情報信号を回転ヘッドにより磁気テープに記録し、また、磁気テープに記録されたディジタル情報信号を回転ヘッドにより再生するディジタル信号記録再生装置では、回転ヘッドの再生時のトラッキングのために、ディジタル信号にＡＴＦ（Automatic Track Finding）パイロット信号を多重して記録し、再生することが知られている（例えば、特許文献１参照）。
【０００３】
この従来のディジタル信号記録再生装置では、図６に示すようなトラックパターンを、磁気テープ１上に回転ヘッド２により形成する。同図において、回転ヘッド２により磁気テープ１の長手方向に対して傾斜したトラックをＴ１、Ｔ２、Ｔ３、・・・、Ｔ９、Ｔ１０、・・・の順序で所定周期で順次に形成してディジタル信号を記録する。
【０００４】
具体的には回転ヘッド２は、回転ドラムに１８０度対向して設けられた、互いにアジマス角度の異なる２個の回転ヘッドのうちの一方であり、一方のチャンネル１（ＣＨ１）の回転ヘッドによりトラックＴ１、Ｔ３、Ｔ５、・・・等の奇数番目のトラックを形成してディジタル信号を記録し、もう一方のチャンネル２（ＣＨ２）の回転ヘッドによりトラックＴ２、Ｔ４、Ｔ６、・・・等の偶数番目のトラックを形成してディジタル信号を記録する。
【０００５】
また、この記録時には、図６に示すように、ｆ０、ｆ１、ｆ２で示す３種類のＡＴＦパイロット信号が、ｆ１、ｆ０、ｆ２、ｆ０、ｆ１、・・・というように、１トラック毎に交互に切り替えられて、かつ、４トラック周期で記録される。ここで、ｆ０はＡＴＦパイロット信号が記録されないトラックであり、ｆ１、ｆ２は、それぞれ互いに異なる周波数ｆ１、ｆ２のＡＴＦパイロット信号が記録されるトラックであり、ｆ０のトラックの間に周波数ｆ１とｆ２のＡＴＦパイロット信号が交互に切り替わるように記録される。
【０００６】
再生時には回転ヘッドは、図６に２で示すように、本来再生すべきトラックＴ２を中心として両側の隣接トラックＴ１、Ｔ３の一部もそれぞれ走査するため、隣接トラックＴ１、Ｔ３からクロストークとしてそれぞれＡＴＦパイロット信号も再生される。この隣接するトラックからクロストークとして再生されるＡＴＦパイロット信号のレベルは、回転ヘッド２のトラック走査面積に大略比例するので、ディジタル信号記録再生装置の再生系では、隣接トラックからクロストークとして再生される２つのＡＴＦパイロット信号のレベル差がほぼ等しくなるように、記録トラックに対する回転ヘッド２の走査位置を制御するトラッキング制御を行う。
【０００７】
従って、上記のトラッキング制御を正常に行うためには、磁気テープ上の現在のトラックを走査中の回転ヘッドがＣＨ１かＣＨ２であるかを記録再生回路に識別させるためのＣＨ識別信号と、そのトラックから再生されるＡＴＦパイロット信号の種類とが記録時と同一の関係にある必要がある。
【０００８】
【特許文献１】特許第３４３３６０９号公報
【発明の開示】
【発明が解決しようとする課題】
【０００９】
しかるに、近年、ディジタル信号記録再生装置は益々小型化の要求が強まっており、そのため、集積回路化された記録再生回路（具体的には記録再生アンプ）の基板上の配置位置が大幅に制約され、設計上、回転ドラム機構との接続が、本来の接続関係と逆にならざるを得ない場合がある。この場合、正常な接続関係にある他のディジタル信号記録再生装置で記録された磁気テープを互換再生すると、正常なトラッキングができないこととなる。
【００１０】
上記の問題を解決するためには、ＣＨ１とＣＨ２の回転ヘッドの配置関係が異なる２種類の回転ドラム機構を用意して、本来の接続関係となるような回転ドラム機構を選択すればよいが、コスト上の問題から２種類の回転ドラム機構を用意することは不経済であり、現実的ではない。
【００１１】
本発明は以上の点に鑑みなされたもので、記録再生アンプと回転ドラム機構との接続関係に関係なく、正常なトラッキング制御を行い得、もって記録再生アンプの配置位置の制約を無くすことができるディジタル信号記録再生装置を提供することを目的とする。
【課題を解決するための手段】
【００１２】
本発明は上記の目的を達成するため、トラッキング制御のための複数種類のパイロット信号を予め定めた複数のトラック周期で切り換えてディジタル情報信号と共に、複数個の回転ヘッドを巡回的に切り換えて磁気テープ上のトラックに記録し、記録ディジタル情報信号及びパイロット信号を複数個の回転ヘッドを巡回的に切り換えて磁気テープのトラックから再生するディジタル信号記録再生装置において、記録時は、複数種類のパイロット信号のうち、予め定めた複数のトラック周期で切り換えられた一の種類のパイロット信号とディジタル情報信号との多重信号を、複数個の回転ヘッドに対応して設けられた複数の端子へ、チャンネル識別信号に応じて順次切り換えて出力し、再生時は、複数の端子をチャンネル識別信号に応じて順次選択し、選択した一の端子からの再生信号を入力として処理する切換回路と、複数の端子に別々に接続された複数個の回転ヘッドが回転ドラムに取り付けられており、複数個の回転ヘッドのうち磁気テープ上を走査する一の回転ヘッドに対応したチャンネルを識別させるためのチャンネル識別信号を生成して切換回路へ出力する回転ドラム機構と、切換回路の複数の端子と回転ドラム機構の複数個の回転ヘッドとの接続状態に応じて、切換回路におけるチャンネル識別信号の極性を制御し、磁気テープに記録される複数種類のパイロット信号と複数個の回転ヘッドとの相関を接続状態に応じて切り換えるチャンネル識別信号切換制御手段とを有することを特徴とする。
【００１３】
この発明では、記録時は一の種類のパイロット信号とディジタル情報信号との多重信号を、複数個の回転ヘッドに対応して設けられた複数の端子へ、チャンネル識別信号に応じて順次切り換えて出力し、再生時は複数の端子をチャンネル識別信号に応じて順次選択し、選択した一の端子からの再生信号を入力として処理する切換回路の、複数の端子と回転ドラム機構の複数個の回転ヘッドとの接続状態に応じて、切換回路におけるチャンネル識別信号の極性を制御し、磁気テープに記録される複数種類のパイロット信号と複数個の回転ヘッドとの相関を接続状態に応じて切り換えるようにしたため、切換回路の複数の端子と複数個の回転ヘッドとの接続状態に関係なく、磁気テープに記録される複数種類のパイロット信号と複数個の回転ヘッドとの相関を、常に予め定められた所定の関係にすることができる。
【発明の効果】
【００１４】
本発明によれば、切換回路におけるチャンネル識別信号の極性を制御することにより、切換回路の複数の端子と複数個の回転ヘッドとの接続状態に関係なく、磁気テープに記録される複数種類のパイロット信号と複数個の回転ヘッドとの相関を、常に予め定められた所定の関係にすることができるため、複数個の回転ヘッドに接続される切換回路の配置位置の制約を無くすことができ、これにより、機構設計及び基板設計が容易となり、ディジタル信号記録再生装置を小型化した場合に有効であり、また、複数種類の回転ドラム機構が不要であるので、コスト上昇を抑制できる。
【発明を実施するための最良の形態】
【００１５】
次に、本発明を実施するための最良の形態について図面と共に説明する。図１は本発明になるディジタル信号記録再生装置の一実施の形態の要部の構成図を示す。本実施の形態のディジタル信号記録再生装置は、ディジタル信号生成回路１０と、記録再生用の回転ヘッド２１及び２２が相対向して取り付けられた回転ドラム２０とを含む構成とされている。
【００１６】
ディジタル信号生成回路１０は、記録再生するディジタル信号を磁気テープの特性に合わせて最適化する記録再生アンプ１１を含んでいる。この記録再生アンプ１１は、記録再生特性に最適設計された集積回路であるＡＳＩＣ（Application Specific Integrated Circuit）であり、チャンネル（ＣＨ）切換回路１２と、ＣＨ１用増幅部１３−１と、ＣＨ２用増幅部１３−２とを搭載している。
【００１７】
ＣＨ１用増幅部１３−１の入出力端子は、コネクタ１４及びＣＨ１配線３１及び図示しないロータリートランスを介してＣＨ１の回転ヘッド２１に接続される。同様に、ＣＨ２用増幅部１３−２の入出力端子は、コネクタ１４及びＣＨ２配線３２及び図示しないロータリートランスを介してＣＨ２の回転ヘッド２２に接続される。
【００１８】
なお、ディジタル信号生成回路１０には、記録する映像信号及び音声信号を、例えばＤＶＣに定められた規格に従った所定のフォーマットのディジタル情報信号に変換し、そのディジタル情報信号を１トラック走査期間毎に図６に示した順番で切り換えられる３種類のＡＴＦパイロット信号のいずれかと多重した記録用ディジタル信号を生成する記録信号生成部（図示せず）と、再生ディジタル信号から映像信号及び音声信号を復調する復調部（図示せず）と、再生ディジタル信号から分離した再生ＡＴＦパイロット信号に基づいて、再生時の回転ヘッド２１及び２２の走査位置を、磁気テープの走行位相を制御するなどの公知の方法で制御するトラッキング制御部（図示せず）とを具備している。
【００１９】
回転ドラム２０と回転ヘッド２１及び２２を含む回転ドラム機構は、回転ドラム２０と、回転ドラム２０を所定の回転速度で回転する回転手段（図示せず）と、回転ドラム２０の側面に約１８０度の角度範囲にわたって斜めに磁気テープ（図示せず）を巻回させる手段とを有している。回転ドラム２０の回転面上には、アジマス角度がＣＨ１で規定された値に設定されているＣＨ１の回転ヘッド２１と、アジマス角度がＣＨ２で規定された値に設定されており、かつ、回転ヘッド２１に対して１８０度対向する位置に配置されたＣＨ２の回転ヘッド２２とが取り付けられている。
【００２０】
また、回転ドラム機構は、一定方向に走行する磁気テープ上を走査している回転ヘッドが、ＣＨ１の回転ヘッド２１かＣＨ２の回転ヘッド２２かを検出するための周知の検出機構（図示せず）を備えており、それにより検出されたＣＨ識別信号をＣＨ切換回路１２に供給するように接続されている。
【００２１】
次に、本実施の形態の動作について説明する。記録時は、前記記録用ディジタル信号がＣＨ切換回路１２に供給される。ＣＨ切換回路１２は前記ヘッド検出機構からＣＨ識別信号が供給されており、このＣＨ識別信号がハイレベルであるＣＨ１の回転ヘッド２１の１トラック走査期間中は、入力された記録用ディジタル信号をＣＨ１用増幅部１３−１へ選択入力して増幅させる。このＣＨ１用増幅部１３−１から出力された記録用ディジタル信号は、ＣＨ１配線３１を介してＣＨ１の回転ヘッド２１に供給され、回転ヘッド２１により図示しない磁気テープに記録される。
【００２２】
次の１トラック走査期間中は、上記のＣＨ識別信号がローレベルとなり、このときＣＨ切換回路１２は入力された記録用ディジタル信号をＣＨ２用増幅部１３−２へ選択入力して増幅させる。このＣＨ２用増幅部１３−２から出力された記録用ディジタル信号は、ＣＨ２配線３２を介してＣＨ２の回転ヘッド２２に供給され、回転ヘッド２２により図示しない磁気テープに記録される。以下、上記と同様の動作が１トラック走査期間毎に繰り返される。なお、３種類のＡＴＦパイロット信号は、図６と共に説明したように、１トラック走査期間毎に所定の順番で切り換えられる。
【００２３】
再生時は、磁気テープ上にＡＴＦパイロット信号と共に記録されているディジタル信号が、回転ヘッド２１及び２２により交互にＡＴＦパイロット信号と共に再生される。ここで、ＣＨ１の回転ヘッド２１が磁気テープ上の１本の記録トラックからディジタル信号及びＡＴＦパイロット信号を再生する期間はＣＨ識別信号がハイレベルであり、これによりＣＨ切換回路１２は増幅部１３−１で増幅された信号を選択して出力する。従って、このとき増幅部１３−１で増幅された、回転ヘッド２１からの再生ディジタル信号及びＡＴＦパイロット信号がＣＨ切換回路１２から出力される。
【００２４】
同様に、ＣＨ２の回転ヘッド２２が磁気テープ上の１本の記録トラックからディジタル信号及びＡＴＦパイロット信号を再生する期間はＣＨ識別信号がローレベルであり、これによりＣＨ切換回路１２は増幅部１３−２で増幅された信号を選択して出力する。従って、このとき増幅部１３−２で増幅された、回転ヘッド２２からの再生ディジタル信号及びＡＴＦパイロット信号がＣＨ切換回路１２から出力される。
【００２５】
従って、以上の記録再生時の記録再生されるトラックの番号、ＣＨ識別信号、記録再生チャンネル及び記録再生されるＡＴＦパイロット信号の種類をまとめると、図２（Ａ）〜（Ｄ）に示すようになる。なお、図２（Ｄ）に示す記録再生データパイロット信号、すなわち、ＡＴＦパイロット信号のｆ１、ｆ０、ｆ２は、図６に示した３種類のＡＴＦパイロット信号ｆ１，ｆ０，ｆ２に相当する。
【００２６】
記録再生アンプ１１と回転ヘッド２１及び２２との接続関係が、規格により定められた関係である時には、記録再生チャンネルと記録再生データパイロット信号とは、上記の図２（Ｃ）、（Ｄ）に示す関係にある。
【００２７】
しかしながら、記録再生アンプ１１の基板上の配置位置が大幅に制約され、例えば、設計上、基板の裏面（反対面）に記録再生アンプ１１を配置することにより、回転ドラム機構との接続が、上記の本来の接続関係と逆になった場合は、例えば、トラック番号１にＡＴＦパイロット信号ｆ１が多重されたディジタル信号を記録／再生する場合は、記録再生アンプ１１は、図２に示した接続関係である従来と同じようにＣＨ１の増幅部１３−１に切り換えてＣＨ１配線３１と接続するが、ＣＨ１配線３１はＣＨ−２の回転ヘッド２２に接続されているため、回転ヘッド２２が磁気テープ上を走査してＡＴＦパイロット信号ｆ１が多重されたディジタル信号を記録／再生することとなる。
【００２８】
同様に次のトラック番号２にＡＴＦパイロット信号ｆ０と共にディジタル信号を記録／再生する場合は、記録再生アンプ１１は、ＣＨ２の増幅部１３−２に切り換えてＣＨ２配線３１と接続するが、ＣＨ２配線３１はＣＨ１の回転ヘッド２１に接続されているため、回転ヘッド２１が磁気テープ上を走査してＡＴＦパイロット信号ｆ０が多重されたディジタル信号を記録／再生することとなる。すなわち、上記の場合は、図２に示した本来の記録再生チャンネルと記録再生データパイロット信号との関係が得られない。
【００２９】
そこで、本実施の形態では、図３（Ｂ）に示すように、記録再生アンプ１１と回転ドラム機構との接続が、上記の本来の接続関係と逆になる場合は、装置製造段階でＣＨ切換回路１２に対してＣＨ識別信号切換制御を行い、ＣＨ切換信号を反転して入力した場合と同等の動作を行わせる（すなわち、ＣＨ識別信号の反対論理値で動作させる）。
【００３０】
これにより、例えば、トラック番号１にＡＴＦパイロット信号ｆ１が多重されたディジタル信号を記録／再生する期間は、磁気テープ上をＣＨ−１の回転ヘッド２１が走査するため、本来はハイレベルのＣＨ識別信号がＣＨ切換回路１２に入力されるが、これを反転させることにより、ＣＨ切換回路１２は、ＣＨ−２の回転ヘッド２２が磁気テープ上を走査しているものと判断して、ＣＨ２の増幅部１３−２に切り換えてＣＨ２配線３２と接続する動作を行う。ここで、ＣＨ２配線３２はＣＨ−１の回転ヘッド２１に接続されているため、従来と同様に、回転ヘッド２１が磁気テープ上を走査してＡＴＦパイロット信号ｆ１が多重されたディジタル信号を記録／再生することとなる。
【００３１】
同様に、例えばトラック番号２にＡＴＦパイロット信号ｆ０が多重されたディジタル信号を記録／再生する期間は、磁気テープ上をＣＨ−２の回転ヘッド２２が走査するため、本来はローレベルのＣＨ識別信号がＣＨ切換回路１２に入力されるが、これを反転させることにより、ＣＨ切換回路１２は、ＣＨ１の増幅部１３−１に切り換えてＣＨ１配線３１と接続する動作を行う。ここで、ＣＨ１配線３１はＣＨ−２の回転ヘッド２２に接続されているため、従来と同様に、回転ヘッド２２が磁気テープ上を走査してＡＴＦパイロット信号ｆ０が多重されたディジタル信号を記録／再生することとなる。以下、同様の動作を繰り返す。
【００３２】
従って、本実施の形態によれば、以上の記録再生時の記録再生されるトラックの番号、ＣＨ識別信号、ＣＨ切換回路１２における記録再生チャンネル及び記録再生されるＡＴＦパイロット信号の種類をまとめると、図３（Ａ）〜（Ｄ）に示すようになる。この結果、実際に記録されるディジタル信号及びＡＴＦパイロット信号と、回転ヘッドのチャンネルとの関係は、図２（Ａ）〜（Ｄ）と共に説明した本来の関係となる。よって、回転ドラム機構を２種類用意しなくても、本実施の形態で記録した磁気テープを他のディジタル信号記録再生装置で再生することができ、また、他のディジタル信号記録再生装置で記録した磁気テープから正常にディジタル信号を再生することができ、互換再生を確保できる。
【００３３】
なお、上記の実施の形態では記録再生アンプ１１と回転ドラム機構との接続が本来の接続と逆の場合の構成及び動作について説明したが、本発明はこれに限定されるものではなく、例えば図４に示すように、記録再生アンプ１１を搭載したチップ５１が、ボンディングワイヤ５２、５３を介してリード５４、５５に接続されたＱＦＰ（Quad Flat Package）パッケージ５０のリード５４、５５を所定の端子と接続することにより、回転ドラム機構に接続される場合に、記録再生されるディジタル信号及びＡＴＦパイロット信号と、回転ヘッドのチャンネルとの関係が、前述した図２（Ａ）〜（Ｄ）と共に説明した本来の関係となる場合に、図５に示すように、チップ５１が逆向きに実装されるＱＦＮ(Quad Flat Non-leaded package)パッケージにも適用できる。
【００３４】
すなわち、図５に示すＱＦＮパッケージは、記録再生アンプ１１を搭載したチップ５１が、ＱＦＰパッケージ５０内とは表面と裏面とを逆にしてボンディングワイヤ６２、６３を介してリード６４、６５に接続されたＱＦＮパッケージのリード６４、６５を所定の端子と接続することにより、回転ドラム機構に接続される場合は、チップ５１に搭載されている記録再生アンプ１１のＣＨ切換回路１２をＣＨ識別信号の反転論理値で動作するように設定することにより、記録再生されるディジタル信号及びＡＴＦパイロット信号と、回転ヘッドのチャンネルとの関係が、前述した図２（Ａ）〜（Ｄ）と共に説明した本来の関係となる。この場合は、ディジタル信号記録再生装置の製品化後においては、パッケージの変更が可能である。
【００３５】
なお、本発明はＤＶＣやＤーＶＨＳ（登録商標）などのヘリカルスキャン方式のディジタル信号記録再生装置に適用可能である。
【図面の簡単な説明】
【００３６】
【図１】本発明のディジタル信号記録再生装置の一実施の形態の要部の構成図である。
【図２】記録再生アンプと回転ドラム機構との接続が本来の接続関係にある場合の、記録再生されるトラックの番号、ＣＨ識別信号、記録再生チャンネル及び記録再生されるＡＴＦパイロット信号の種類の関係を示す図である。
【図３】記録再生アンプと回転ドラム機構との接続が本来の接続関係と逆である場合の、本発明により記録再生されるトラックの番号、ＣＨ識別信号、記録再生チャンネル及び記録再生されるＡＴＦパイロット信号の種類の関係を示す図である。
【図４】ＱＦＰパッケージの一例の断面図である。
【図５】ＱＦＮパッケージの一例の断面図である。
【図６】記録トラックとＡＴＦパイロット信号との関係の一例を示す図である。
【符号の説明】
【００３７】
１０  ディジタル信号生成回路
１１  記録再生アンプ
１２  ＣＨ切換回路
１３−１  ＣＨ１の増幅部
１３−２  ＣＨ２の増幅部
１４  コネクタ
２０  回転ドラム
２１  ＣＨ１の回転ヘッド
２２  ＣＨ２の回転ヘッド
５０  ＱＦＰパッケージ
６０  ＱＦＮパッケージ
【図１】
2006252665.tif 000003
【図２】
2006252665.tif 000004
【図３】
2006252665.tif 000005
【図４】
2006252665.tif 000006
【図５】
2006252665.tif 000007
【図６】
2006252665.tif 000008